(57)【要約】【課題】本発明は、複数のギヤボックス部を有する筐体を嵌め合い部を介してハウジングに装着することにより、ハウジングのリンク機構との位置合わせを所定通りとすることを目的とする。【解決手段】本発明によるレバー装置構造は、複数のギヤボックス部(11)及び回動レバー(25)を有する筐体(10)の両側外面(41)に第１嵌め合い部(43)を設け、前記筐体(10)をその両側部(2,3)に設けられた第２嵌め合い部(45)を有するハウジング(1)に取付ける場合、第１、第２嵌め合い部(43,45)を嵌め合わせ、ハウジング(1)に対する筐体(10)の位置決めを容易化する構成である。【選択図】図１
2010038292.tif 000002
【特許請求の範囲】
【請求項１】
筐体(10)の長手方向(A)に沿って設けられた複数のギヤボックス部(11)と、前記各ギヤボックス部(11)に各々回転自在に設けられた個別駆動軸(21)と、前記筐体(10)の上部に設けられモータ(22)により駆動する上部駆動軸(23)と、前記上部駆動軸(23)と連動すると共に前記個別駆動軸(21)を駆動するスリップクラッチ(24)と、前記各ギヤボックス部(11)の下部に設けられた回動レバー(25)と、前記各回動レバー(25)に設けられ前記スリップクラッチ(24)と連動するレバー用ギヤ(26)と、前記筐体(10)の両側外面(40,41)に形成され凹又は凸形状の一対の第１嵌め合い部(43)と、前記筐体(10)を収納するハウジング(1)と、前記ハウジング(1)の両側部(2,3)に設けられ凸又は凹形状の一対の第２嵌め合い部(45)と、を備え、
前記各第１嵌め合い部(43)と各第２嵌め合い部(45)とを嵌め合い接続することにより、前記ハウジング(1)における前記筐体(10)の位置決めを行うことを特徴とするレバー装置構造。
【請求項２】
前記ハウジング(1)に回動自在に軸支された回動レバー(25)のリンク機構(20)は、前記筐体(10)のギヤボックス部(11)のギヤ(17)に接続されていることを特徴とする請求項１記載のレバー装置構造。
【発明の詳細な説明】
【技術分野】
【０００１】
本発明は、レバー装置構造に関し、特に、複数のギヤボックス部を有する筐体を嵌め合い部を介してハウジングに装着することにより、ハウジングのリンク機構との位置合わせを所定通りとするための新規な改良に関する。
【背景技術】
【０００２】
従来、用いられていたこの種の回動レバーを用いた複数のギヤボックス部を用いたユニット型の筐体の場合、社内製作のみで特許出願をしていないため、特許文献を開示していないが、ハウジングに対する筐体の装着は、ねじ止めによって行われていた。
【発明の開示】
【発明が解決しようとする課題】
【０００３】
従来のレバーを有するハウジングに対する筐体の装着は、以上のように構成されていたため、次のような課題が存在していた。
すなわち、ハウジングに対して筐体を複数のねじを介して装着するため、ハウジングの所定位置に対する軸芯を出して位置決めすることが難しく、ハウジング側に取付けたレバーのリンク機構との位置関係を設計通りとすることは困難であった。
【課題を解決するための手段】
【０００４】
本発明によるレバー装置構造は、筐体の長手方向に沿って設けられた複数のギヤボックス部と、前記各ギヤボックス部に各々回転自在に設けられた個別駆動軸と、前記筐体の上部に設けられモータにより駆動する上部駆動軸と、前記上部駆動軸と連動すると共に前記個別駆動軸を駆動するスリップクラッチと、前記各ギヤボックス部の下部に設けられた回動レバーと、前記各回動レバーに設けられ前記スリップクラッチと連動するレバー用ギヤと、前記筐体の両側外面に形成され凹又は凸形状の一対の第１嵌め合い部と、前記筐体を収納するハウジングと、前記ハウジングの両側部に設けられ凸又は凹形状の一対の第２嵌め合い部と、を備え、前記各第１嵌め合い部と各第２嵌め合い部とを嵌め合い接続することにより、前記ハウジングにおける前記筐体の位置決めを行う構成であり、また、前記ハウジングに回動自在に軸支された回動レバーのリンク機構は、前記筐体のギヤボックス部のギヤに接続されている構成である。
【発明の効果】
【０００５】
本発明によるレバー装置構造は、以上のように構成されているため、次のような効果を得ることができる。
すなわち、筐体の長手方向に沿って設けられた複数のギヤボックス部と、前記各ギヤボックス部に各々回転自在に設けられた個別駆動軸と、前記筐体の上部に設けられモータにより駆動する上部駆動軸と、前記上部駆動軸と連動すると共に前記個別駆動軸を駆動するスリップクラッチと、前記各ギヤボックス部の下部に設けられた回動レバーと、前記各回動レバーに設けられ前記スリップクラッチと連動するレバー用ギヤと、前記筐体の両側外面に形成され凹又は凸形状の一対の第１嵌め合い部と、前記筐体を収納するハウジングと、前記ハウジングの両側部に設けられ凸又は凹形状の一対の第２嵌め合い部と、を備え、前記各第１嵌め合い部と各第２嵌め合い部とを嵌め合い接続することにより、前記ハウジングにおける前記筐体の位置決めを行うことができ、筐体のギヤボックス部とレバーのリンク機構との位置関係を簡単かつ正確に一致させることができる。
また、前記ハウジングに回動自在に軸支された回動レバーのリンク機構は、前記筐体のギヤボックス部のギヤに接続されていることにより、レバーによってギヤボックス部を正確に作動させることができる。
【発明を実施するための最良の形態】
【０００６】
本発明は、複数のギヤボックス部を有する筐体を嵌め合い部を介してハウジングに装着することにより、ハウジングのリンク機構との位置合わせを所定通りとするレバー装置構造を提供することを目的とする。
【実施例】
【０００７】
以下、図面と共に本発明によるレバー装置構造の好適な実施の形態について説明する。
図１において符号１で示されるものは全体形状が箱形をなすハウジングであり、このハウジング１の互いに対向する一対の側部２、３間には、４個のレバー４が第１軸支部５を介して矢印Ａの方向に沿って往復回動自在に設けられている。
【０００８】
前記各側部２、３に設けられた第１軸支部５の下方位置には、図３の点線で示される内部ユニットとしての筐体１０が配設され、この筐体１０内には四個のギヤボックス部１１がこの筐体１０の長手方向に沿って配設されている。
【０００９】
前記レバー４の下端部１２には第２軸支部１３を介して第１ロッド１４が接続され、この第１ロッド１４には第３軸支部１５を介して第２ロッド１６が接続され、この第２ロッド１６は前記ギヤボックス部１１のギヤ１７に接続されている。
従って、前述の各レバー４は、図１に示されるように、各ギヤボックス部１１の各ギヤ１７に各々接続されている。尚、前述のレバー４、第１ロッド１４及び第２ロッド１６により、レバー４をギヤ１７に連結するためのリンク機構２０を構成している。
【００１０】
前記筐体１０に設けられている各ギヤボックス部１１は、図１、図２、図４及び図５で示されるように構成され、前記各ギヤボックス部１１には個別駆動軸２１が各々回転自在に設けられている。
【００１１】
前記筐体１０の最上部位置には、モータ２２によって回転駆動される共通の上部駆動軸２３が各ギヤボックス部１１を軸方向に横断する状態で配設されており、この上部駆動軸２３の回転はスリップクラッチ２４を介して前記個別駆動軸２１に伝達されるように構成されている。
【００１２】
前記各ギヤボックス部１１の下部位置には、四個の回動レバー２５が各々接続されたレバー用ギヤ２６が軸２７を介して回動自在に設けられ、前記各個別駆動軸２１の回転と連動して回転できるように構成されている。
【００１３】
前記筐体１０の両側外面４０、４１には、一対の第１嵌め合い部４２、４３が設けられ、各第１嵌め合い部４２、４３は、図１で示されるように（図１では一方のみしか示されていない）、全体形状が円盤形に形成され。図１の構成の場合には、断面で凹形状となるように構成されている。
【００１４】
前記各第１嵌め合い部４２、４３は、図１では、前記凹形状の円盤形としたが、前記凹形状に限ることなく、断面凸形状とすることもできる。
前記筐体１０が内設される前記ハウジング１の両側部２、３には、前記各第１嵌め合い部４２、４３に対して嵌め合い自在に形成され、断面凸形状又は凹形状の円盤形で前記各第１嵌め合い部４２、４３と同一形状の一対の第２嵌め合い部４４、４５が設けられている。
【００１５】
従って、前記第１、第２嵌め合い部４２、４３、４４、４５は、オス・メス嵌合式に構成され、ハウジング１の各第１嵌め合い部４２、４３が凹形状であれば、筐体１０の各第２嵌め合い部４４、４５は、凸形状で構成され、これらの逆の形状の組合わせとなることも可能で、何れも適用できる。
【００１６】
前記第１、第２嵌め合い部４２、４３、４４、４５は、何れも前述のように、円盤状で形成されているため、互いに嵌め合わされた場合、所定の設計通りの軸心位置決めが容易に可能で、ハウジング１に対する予め決められた所定位置に前記筐体１０を装着することができる。
そのため、前記レバー４のリンク機構２０等と前記ギヤボックス部１１のギヤ１７等との位置関係を設計通りの位置で接続することができる。
【図面の簡単な説明】
【００１７】
【図１】本発明によるレバー装置構造を示す透過斜視図である。
【図２】図１の筐体を示す拡大斜視図である。
【図３】図１の構成を簡略化して示す構成図である。
【図４】図２の拡大分解斜視図である。
【図５】図４の正面図である。
【符号の説明】
【００１８】
１    ハウジング
２、３    側部
４    レバー
５    第１軸支部
１０    筐体
１１    ギヤボックス部
１２    下端部
１３    第２軸支部
１４    第１ロッド
１５    第３軸支部
１６    第２ロッド
１７    ギヤ
２０    リンク機構
２１    個別駆動軸
２２    モータ
２３    上部駆動軸
２４    スリップクラッチ
２５    回動レバー
２６    レバー用ギヤ
２７    軸
４０、４１    側外面
４２、４３    第１嵌め合い部
４４、４５    第２嵌め合い部
【図１】
2010038292.tif 000003
【図２】
2010038292.tif 000004
【図３】
2010038292.tif 000005
【図４】
2010038292.tif 000006
【図５】
2010038292.tif 000007